(57)【要約】      （修正有）【課題】コンテンツを提供するエージェントプログラム、コンテンツ提供システム及びコンテンツ提供方法を提供する。【解決手段】コンテンツ提供システム１００は、複数のコンテンツ及びコンテンツ識別情報を含むコンテンツ情報を提供するコンテンツサーバと、コンテンツサーバと同期化を行ってコンテンツ情報を格納し、呼が着信されてから通話連結までの待機中及び通話終了後のいずれかに、少なくとも１つのコンテンツを抽出して出力手段に出力させるコンテンツエージェントを備える移動端末とを備える。コンテンツエージェントは、移動端末に呼が着信されれば、複数のコンテンツからコンテンツを抽出して出力手段に出力させ、移動端末のユーザから受信される通話終了後のコンテンツ視聴の要請に応じて前記コンテンツの出力を一時停止させ、着信された呼に対する通話を行わせ、移動端末の通話終了が行われれば、一時停止させたコンテンツの出力を再開する。【選択図】図１
2017073157.tif 000002
【特許請求の範囲】
【請求項１】
複数のコンテンツ及び前記複数のコンテンツそれぞれに対応するコンテンツ識別情報を含むコンテンツ情報を提供するコンテンツサーバと同期化を行って前記コンテンツ情報を格納する移動端末において呼が着信されてから通話連結までの待機中及び通話終了後の少なくともいずれかに前記複数のコンテンツから少なくとも１つのコンテンツを抽出して出力手段に出力させるコンテンツエージェントとしてコンピュータを機能させるエージェントプログラムであって、
前記移動端末に呼が着信されれば、前記複数のコンテンツから少なくとも１つのコンテンツを抽出して前記出力手段に出力させ、
前記移動端末のユーザから受信される通話終了後のコンテンツ視聴の要請に応じて前記コンテンツの出力を一時停止させ、当該一時停止後、前記着信された呼に対する通話を行わせ、
前記移動端末の通話終了が行われれば、前記一時停止させた前記コンテンツの出力を再開することを特徴とするエージェントプログラム。
【請求項２】
前記抽出されたコンテンツ、及び前記待機中に出力されたコンテンツを通話終了後にも引き続き視聴することを要請するボタンを前記出力手段に出力させ、前記移動端末のユーザが入力手段を通じて前記ボタンを押すことによる前記コンテンツ視聴の要請に応じて前記コンテンツの出力を一時停止させることを特徴とする請求項１に記載のエージェントプログラム。
【請求項３】
前記移動端末の呼着信時間を検出し、前記検出された呼着信時間に対応する前記コンテンツを抽出して出力することを特徴とする請求項１または２に記載のエージェントプログラム。
【請求項４】
前記移動端末の通話終了が行われれば、前記コンテンツに対してイベント参加のためのイベント実行ボタンを前記出力手段に出力させ、
前記移動端末のユーザから受信されるイベント参加要請に応じて前記コンテンツの出力を終了させ、イベントへの参加が可能なイベント参加画面を出力させることを特徴とする請求項１乃至３のいずれか一項に記載のエージェントプログラム。
【請求項５】
前記出力手段に出力されているコンテンツの出力時間をカウントし、
前記移動端末のユーザから受信される通話要請に応じて、前記カウントされたコンテンツの出力時間、前記出力されたコンテンツの識別情報及び前記ユーザの識別情報を含むコンテンツ出力時間情報を形成し、
前記コンテンツ出力時間情報を前記コンテンツサーバに伝送して、前記コンテンツの出力による褒賞を要請することを特徴とする請求項１乃至４のいずれか一項に記載のエージェントプログラム。
【請求項６】
前記移動端末の通話終了が行われれば、前記出力されたコンテンツの識別情報及び前記移動端末のユーザの識別情報を含むコンテンツ出力情報を形成し、
前記コンテンツ出力情報を前記コンテンツサーバに伝送して、前記コンテンツの出力による褒賞を要請することを特徴とする請求項５に記載のエージェントプログラム。
【請求項７】
コンテンツ提供システムであって、
複数のコンテンツ及び前記複数のコンテンツそれぞれに対応するコンテンツ識別情報を含むコンテンツ情報を提供するコンテンツサーバと、
前記コンテンツサーバと同期化を行って前記コンテンツ情報を格納し、呼が着信されてから通話連結までの待機中及び通話終了後の少なくともいずれかに前記複数のコンテンツから少なくとも１つのコンテンツを抽出して出力手段に出力させるコンテンツエージェントを備える移動端末とを備えるコンテンツ提供システムであって、
前記コンテンツエージェントは、
前記移動端末に呼が着信されれば、前記複数のコンテンツから少なくとも１つのコンテンツを抽出して前記出力手段に出力させ、
前記移動端末のユーザから受信される通話終了後のコンテンツ視聴の要請に応じて前記コンテンツの出力を一時停止させ、当該一時停止後、前記着信された呼に対する通話を行わせ、
前記移動端末の通話終了が行われれば、前記一時停止させた前記コンテンツの出力を再開することを特徴とするコンテンツ提供システム。
【請求項８】
コンテンツサーバ及び移動端末を備えるコンテンツ提供システムにおけるコンテンツ提供方法であって、
前記移動端末が、複数のコンテンツ及び前記複数のコンテンツ情報それぞれに対応するコンテンツ識別情報を含むコンテンツ情報を提供する前記コンテンツサーバと同期化を行うコンテンツエージェントを通じて前記コンテンツ情報を格納するステップと、
前記移動端末が、呼が着信されてから通話連結までの待機中及び通話終了後の少なくともいずれかに前記複数のコンテンツから少なくとも１つのコンテンツを抽出して出力手段に出力させるステップと、
を含み、
前記コンテンツエージェントは、前記移動端末に呼が着信されれば、前記複数のコンテンツから少なくとも１つのコンテンツを抽出して前記出力手段に出力させ、前記移動端末のユーザから受信される通話終了後のコンテンツ視聴の要請に応じて前記コンテンツの出力を一時停止させ、当該一時停止後、前記着信された呼に対する通話を行わせ、前記移動端末の通話終了が行われれば、前記一時停止させた前記コンテンツの出力を再開することを特徴とするコンテンツ提供方法。
【発明の詳細な説明】
【技術分野】
【０００１】
本発明は、移動通信サービスに関し、特に、広告などのコンテンツを提供するコンテンツ提供システム及びコンテンツ提供方法に関する。
【背景技術】
【０００２】
通信技術の飛躍的な発展と様々なコンテンツの開発により、移動通信網を用いる様々な移動通信サービスが提供されている。最も基本的な移動通信サービスは、音声通話及びショートメッセージサービス（ＳＭＳ）である。時間や場所に拘わらず移動中にどこででも音声通話が可能であり所望の相手に簡単な内容のメッセージを伝送することができる。最近では、移動通信網を通じてインターネットサービスを提供する無線インターネットサービスが活性化しつつある。
【０００３】
このように移動通信サービスが一般化して移動端末がユーザの基本的な携帯品となるに従い、移動通信サービスの加入者を対象とした広告サービスが増えている。しかし、このような広告サービスは広告メッセージを移動端末に無作為に伝送する方式として移動通信サービスの加入者の同意なしに提供されるため、広告メッセージが移動端末に提供されても広告メッセージは確認されずに削除されるのが一般的である。よって、広告効果は極めて低いという問題点がある。
【０００４】
一方、現在、移動端末では、他のアプリケーションが実行されている途中に呼を着信したりメッセージを受信する場合、広告動画プレーヤーを実行するために他のアプリケーションを終了させなければならないため、ユーザの操作が不便であるという問題点がある。
【先行技術文献】
【特許文献】
【０００５】
【特許文献１】特開２００１−０８６５７５号公報
【特許文献２】特開２００１−３２０４５０号公報
【特許文献３】特開２００２−１３５４２７号公報
【特許文献４】特開２００３−３０８４５９号公報
【発明の概要】
【発明が解決しようとする課題】
【０００６】
本発明は、このような問題点を解決するためのものであって、通話連結までの待機中及び通話終了後において広告などのコンテンツを移動端末の出力手段に出力させるエージェントプログラム、コンテンツ提供システム、及びコンテンツ提供方法を提供する。
【課題を解決するための手段】
【０００７】
上記課題を解決するために、請求項１に係る発明は、複数のコンテンツ及び前記複数のコンテンツそれぞれに対応するコンテンツ識別情報を含むコンテンツ情報を提供するコンテンツサーバと同期化を行って前記コンテンツ情報を格納する移動端末において呼が着信されてから通話連結までの待機中及び通話終了後の少なくともいずれかに前記複数のコンテンツから少なくとも１つのコンテンツを抽出して出力手段に出力させるコンテンツエージェントとしてコンピュータを機能させるエージェントプログラムであって、前記移動端末に呼が着信されれば、前記複数のコンテンツから少なくとも１つのコンテンツを抽出して前記出力手段に出力させ、前記移動端末のユーザから受信される通話終了後のコンテンツ視聴の要請に応じて前記コンテンツの出力を一時停止させ、当該一時停止後、前記着信された呼に対する通話を行わせ、前記移動端末の通話終了が行われれば、前記一時停止させた前記コンテンツの出力を再開することを特徴とする。
【０００８】
請求項２に係る発明は、請求項１に記載のエージェントプログラムにおいて、前記抽出されたコンテンツ、及び前記待機中に出力されたコンテンツを通話終了後にも引き続き視聴することを要請するボタンを前記出力手段に出力させ、前記移動端末のユーザが入力手段を通じて前記ボタンを押すことによる前記コンテンツ視聴の要請に応じて前記コンテンツの出力を一時停止させることを特徴とする。
【０００９】
請求項３に係る発明は、請求項１または２に記載のエージェントプログラムにおいて、前記移動端末の呼着信時間を検出し、前記検出された呼着信時間に対応する前記コンテンツを抽出して出力することを特徴とする。
【００１０】
請求項４に係る発明は、請求項１乃至３のいずれか一項に記載のエージェントプログラムにおいて、前記移動端末の通話終了が行われれば、前記コンテンツに対してイベント参加のためのイベント実行ボタンを前記出力手段に出力させ、前記移動端末のユーザから受信されるイベント参加要請に応じて前記コンテンツの出力を終了させ、イベントへの参加が可能なイベント参加画面を出力させることを特徴とする。
【００１１】
請求項５に係る発明は、請求項１乃至４のいずれか一項に記載のエージェントプログラムにおいて、前記出力手段に出力されているコンテンツの出力時間をカウントし、前記移動端末のユーザから受信される通話要請に応じて、前記カウントされたコンテンツの出力時間、前記出力されたコンテンツの識別情報及び前記ユーザの識別情報を含むコンテンツ出力時間情報を形成し、前記コンテンツ出力時間情報を前記コンテンツサーバに伝送して、前記コンテンツの出力による褒賞を要請することを特徴とする。
【００１２】
請求項６に係る発明は、請求項５に記載のエージェントプログラムにおいて、前記移動端末の通話終了が行われれば、前記出力されたコンテンツの識別情報及び前記移動端末のユーザの識別情報を含むコンテンツ出力情報を形成し、前記コンテンツ出力情報を前記コンテンツサーバに伝送して、前記コンテンツの出力による褒賞を要請することを特徴とする。
【００１３】
請求項７に係る発明は、コンテンツ提供システムであって、複数のコンテンツ及び前記複数のコンテンツそれぞれに対応するコンテンツ識別情報を含むコンテンツ情報を提供するコンテンツサーバと、前記コンテンツサーバと同期化を行って前記コンテンツ情報を格納し、呼が着信されてから通話連結までの待機中及び通話終了後の少なくともいずれかに前記複数のコンテンツから少なくとも１つのコンテンツを抽出して出力手段に出力させるコンテンツエージェントを備える移動端末とを備えるコンテンツ提供システムであって、前記コンテンツエージェントは、前記移動端末に呼が着信されれば、前記複数のコンテンツから少なくとも１つのコンテンツを抽出して前記出力手段に出力させ、前記移動端末のユーザから受信される通話終了後のコンテンツ視聴の要請に応じて前記コンテンツの出力を一時停止させ、当該一時停止後、前記着信された呼に対する通話を行わせ、前記移動端末の通話終了が行われれば、前記一時停止させた前記コンテンツの出力を再開することを特徴とする。
【００１４】
請求項８に係る発明は、コンテンツサーバ及び移動端末を備えるコンテンツ提供システムにおけるコンテンツ提供方法であって、前記移動端末が、複数のコンテンツ及び前記複数のコンテンツ情報それぞれに対応するコンテンツ識別情報を含むコンテンツ情報を提供する前記コンテンツサーバと同期化を行うコンテンツエージェントを通じて前記コンテンツ情報を格納するステップと、前記移動端末が、呼が着信されてから通話連結までの待機中及び通話終了後の少なくともいずれかに前記複数のコンテンツから少なくとも１つのコンテンツを抽出して出力手段に出力させるステップと、を含み、前記コンテンツエージェントは、前記移動端末に呼が着信されれば、前記複数のコンテンツから少なくとも１つのコンテンツを抽出して前記出力手段に出力させ、前記移動端末のユーザから受信される通話終了後のコンテンツ視聴の要請に応じて前記コンテンツの出力を一時停止させ、当該一時停止後、前記着信された呼に対する通話を行わせ、前記移動端末の通話終了が行われれば、前記一時停止させた前記コンテンツの出力を再開することを特徴とする。
【発明の効果】
【００１５】
本発明は、移動端末において通話連結までの待機中及び通話終了後に広告などの様々なコンテンツを移動端末の出力手段に出力させることにより、通話連結までの待機時間を退屈させないようにすることができる。
【図面の簡単な説明】
【００１６】
【図１】本発明の実施例におけるコンテンツ提供システムの構成を概略的に示すブロック図である。
【図２】本発明の実施例におけるコンテンツエージェントの構成を概略的に示すブロック図である。
【図３】本発明の実施例によって、アプリケーションを移動端末に設置する手順を示すフローチャートである。
【図４】本発明の実施例によって、会員加入を行う手順を示すフローチャートである。
【図５】本発明の実施例によって、コンテンツ情報を同期化させる手順を示すフローチャートである。
【図６】本発明の実施例によって、受信待機時にコンテンツを出力する手順を示すフローチャートである。
【図７】本発明の他の実施例によって、受信待機時及び通話終了後にコンテンツを出力する手順を示すフローチャートである。
【図８】本発明のさらに他の実施例によって、通話終了後にコンテンツを出力する手順を示すフローチャートである。
【図９】本発明のさらに他の実施例によって、通話終了後にコンテンツを出力する場合にイベント処理を行う手順を示すフローチャートである。
【図１０】本発明のさらに他の実施例によって、ショートメッセージを用いてコンテンツを出力する手順を示すフローチャートである。
【図１１】本発明のさらに他の実施例によって、発信者の識別情報に基づいてコンテンツを出力する手順を示すフローチャートである。
【図１２】本発明のさらに他の実施例によって、インターネット検索語に対応するコンテンツを出力する手順を示すフローチャートである。
【図１３】本発明のさらに他の実施例によって、コンテンツの視聴に対して褒賞処理を行う手順を示すフローチャートである。
【図１４】本発明のさらに他の実施例によって、褒賞支払い手順を示すフローチャートである。
【図１５】本発明のさらに他の実施例によって、決済手順を示すフローチャートである。
【発明を実施するための形態】
【００１７】
以下、添付図面を参照して、本発明の実施例について説明する。
【００１８】
図１は、本発明の実施例によるコンテンツ提供システムの構成を概略的に示すブロック図である。図１に示すように、コンテンツ提供システム１００はアプリケーションサーバ１１０を備える。
【００１９】
アプリケーションサーバ１１０は、複数のアプリケーションを提供する。アプリケーションサーバ１１０は、複数のアプリケーションをデータベース化して格納するためのアプリケーションデータベース（図示せず）を備える。一実施例において、アプリケーションは移動端末にコンテンツを出力させるためのアプリケーションを含む。アプリケーションサーバ１１０は、ポータルサーバ（例えば、モバイルポータル、アップストア、プレイストア等）を含むことができる。しかし、アプリケーションサーバ１１０は、必ずしもこれに限定されるものではない。
【００２０】
コンテンツ提供システム１００は、コンテンツサーバ１２０を備えることができる。コンテンツサーバ１２０は、複数のコンテンツと複数のコンテンツそれぞれに対応するコンテンツ識別情報及びコンテンツ分析情報とを含むコンテンツ情報を提供し、コンテンツの視聴による褒賞処理を行う。一実施例において、コンテンツは、静止画像または動画の広告を含む。一実施例において、コンテンツ識別情報は、コンテンツに割り当てられたＩＤ（identification）情報を意味する。コンテンツ分析情報は、加入者（すなわち、移動端末１３０のユーザ）の呼着信情報及びメッセージ内容（受信及び発信内容）情報を含む。加入者の呼着信情報は、加入者が電話を受信する回数、主に受信する着信時間帯、発信電話番号などを含むものであって、受信回数及び時間帯は設定条件以上に受信される回数及び時間帯に限定することができる。メッセージ内容情報は、発信者の電話番号、メッセージの主なキーワードなどを含むことができる。一例として、メッセージの主なキーワードは、加入者（すなわち、移動端末１３０のユーザ）によって予め定められることができる 。
【００２１】
コンテンツサーバ１２０は、図１に示すように、複数のコンテンツを含むコンテンツ情報を格納するための第１コンテンツデータベース１２１、複数のコンテンツと、複数のコンテンツそれぞれに対応するコンテンツ識別情報及びコンテンツ分析情報とを含むコンテンツ情報を格納するための第２コンテンツデータベース１２２、発信者の識別情報（例えば、電話番号）、加入者（ユーザ）の識別情報（例えば、電話番号）及び少なくとも１つのコンテンツをマッピングさせた指定番号コンテンツ情報を格納するための指定番号コンテンツデータベース１２３、インターネット検索語と少なくとも１つのコンテンツとをマッピングさせた検索語コンテンツ情報を格納するための検索語コンテンツデータベース１２４、及び加入者情報、好みのコンテンツ情報、加入者褒賞情報などをデータベース化して格納するための加入者データベース１２５を含む。加入者情報、好みのコンテンツ情報及び加入者褒賞情報は以下に詳細に説明する。
【００２２】
一実施例において、第１コンテンツデータベース１２１は、複数のコンテンツ及び複数のコンテンツそれぞれに対応するコンテンツ識別情報とを含むコンテンツ情報を格納することができる。
【００２３】
一実施例において、コンテンツ会社（広告会社）の発信者は、発信者の識別情報、加入者（ユーザ）の識別情報及び少なくとも１つのコンテンツをマッピングさせた指定番号コンテンツ情報をコンテンツサーバ１２０（即ち、コンテンツサーバ１２０の指定番号コンテンツデータベース１２４）に予め登録させることができる。
【００２４】
一実施例において、インターネット検索語は、インターネットポータルサイトの検索窓に入力される検索語である。また、ユーザは、デスクトップ、携帯型端末などを用いてインターネット検索語と少なくとも１つのコンテンツとをマッピングさせた検索語コンテンツ情報をコンテンツサーバ１２０（即ち、コンテンツサーバ１２０の検索語コンテンツデータベース１２４）に予め登録させることができる。
【００２５】
コンテンツ提供システム１００は、移動端末１３０を備えることができる。移動端末１３０は、携帯可能な端末であって、ＰＤＡ（personal digital assistant）、スマートフォン、タブレットＰＣなどの携帯型通信端末を含むことができる。移動端末１３０は、アプリケーションサーバ１１０からアプリケーションのダウンロード及び設置、コンテンツサーバ１２０とコンテンツ情報の同期化などを行う。
【００２６】
移動端末１３０は、図１に示すように、コンテンツエージェント１３２を備える。また、移動端末１３０は、ユーザから入力情報を受信するように動作する入力手段（図示せず）、種々の情報またはデータ、インターフェース画面、コンテンツなどを出力するように動作する出力手段（図示せず）、通信手段（図示せず）などを備えることができる。
【００２７】
コンテンツエージェント１３２は、通話連結までの待機中（受信待機時）及び通話終了後の少なくともいずれかにおいてまたはメッセージの受信時にコンテンツを移動端末１３０の出力手段に出力する。コンテンツエージェント１３２は、移動端末１３０のモバイルプラットホーム、ウィンドーモバイル、アンドロイド、アップルのようなオペレーションシステム（operation system；ＯＳ）上で動作するアプリケーションである。すなわち、コンテンツエージェント１３２は、アプリケーションサーバ１１０からダウンロードして設置することができる。
【００２８】
上述した実施例では、コンテンツエージェント１３２がアプリケーションサーバ１１０からダウンロードして移動端末１３０に設置されると説明したが、必ずしもこれに限定さ   れるものではない。例えば、他の実施例では、コンテンツエージェント１３２は移動端末１３０の製造時に設置することもできる。
【００２９】
好ましくは、コンテンツエージェント１３２は、移動端末１３０の出力手段に表示中の通話受信待機画面において発信者の電話番号が隠れないように、通話受信待機画面内の一定の領域、例えば、発信者の電話番号の表示画面の下端または上端にコンテンツを出力させることができる。
【００３０】
また好ましくは、コンテンツエージェント１３２は、移動端末１３０内の他のエージェント（例えば、通話受信待機画面または通話終了画面）の作動中にも作動が可能であり、通話連結までの待機中（受信待機時）及び通話終了後の少なくともいずれかにおいてまたはメッセージの受信時に出力手段の画面内にコンテンツを出力させるコンテンツプレーヤーを備えることができる。
【００３１】
一実施例において、コンテンツエージェント１３２は、移動端末１３０の呼着信またはメッセージ（ショートメッセージまたはマルチメディアメッセージ（ＭＭＳ））の受信を監視して、監視途中で呼が着信されたりメッセージが受信されれば、コンテンツプレーヤーを出力手段の画面内に出力させ、コンテンツプレーヤーを通じてコンテンツを出力させる。
【００３２】
一実施例において、コンテンツエージェント１３２は、移動端末１３０の通話終了を監視して、監視途中で通話終了が行われればコンテンツプレーヤーを出力手段の画面内に出力させ、コンテンツプレーヤーを通じてコンテンツを出力させる。
【００３３】
より好ましくは、コンテンツエージェント１３２は、コンテンツプレーヤーを移動端末１３０のモバイルオペレーションシステム（mobile operation system）内に最上位レイヤ（layer）として出力させる。
【００３４】
一実施例において、コンテンツプレーヤーは、モバイルオペレーションシステムで互換できるソフトウェアプログラムとしてレイヤ方法により具現され得る。
【００３５】
一実施例において、コンテンツプレーヤーは、静止画像または動画のコンテンツを表示する機能と、コンテンツに格納されているサウンドを送出する機能とを含むことができる。
【００３６】
一実施例において、コンテンツプレーヤーは、移動端末１３０のユーザにより設定された出力基準値または複数のコンテンツそれぞれに設定された出力基準値に基づいてコンテンツを出力させることができる。ここで、出力基準値は、コンテンツのディスプレイオプション（例えば、コンテンツを表示する画面の大きさ等）、コンテンツのサウンドオプション（例えば、サウンドの大きさ等）などを含むことができる。
【００３７】
選択的に、コンテンツエージェント１３２は、移動端末１３０を異機種機器（図示せず）に接続させて異機種機器にコンテンツを出力させることができる。異機種機器は、スマートＴＶ、タブレットＰＣ、ＰＤＡなどを含むことができる。
【００３８】
一実施例において、コンテンツエージェント１３２は、インターネット共有ＩＰ（internet protocol）分配器を通じて仮想のＩＰアドレスを異機種機器と共有することにより、移動端末１３０を異機種機器に接続させる。コンテンツエージェント１３２は、通話連結待機中及び通話終了後のいずれかにおいて、または単純メッセージの受信時にコンテンツを異機種機器に伝送する。従って、異機種機器は、移動端末１３０から提供されるコンテンツを異機種機器の出力手段（図示せず）に出力させる。
【００３９】
一実施例において、コンテンツエージェント１３２は、移動端末１３０のイヤホン端子（図示せず）の周波数を発生させる振動板（図示せず）を介して移動端末１３０を異機種機器に接続させる。コンテンツエージェント１３２は、振動板を介してコンテンツの電気的固有信号（電気的固有振動数（frequency response））を元の信号周波数に発生して異機種機器に伝送する。従って、異機種機器は、異機種機器自体のセンサ（図示せず）またはスピーカー（図示せず）の振動板を用いて周波数振動音圧を感知してコンテンツに該当する電気的固有振動数を音圧レベル／感度（sensitivity）に合う電気的信号に変換して異機種機器の出力手段に出力させる。
【００４０】
一実施例において、コンテンツエージェント１３２は、データ遅延方法により異機種機器にコンテンツを提供することができる。データ遅延方法は、移動端末１３０からデータ（コンテンツ）を異機種機器に伝送するとき、異機種機器の受信状態が円滑でない場合、データの伝送を待機し、異機種機器の受信状態が円滑になればデータを再伝送する方法である。ここで、コンテンツエージェント１３２は、異機種機器の受信状態が円滑でないため、移動端末１３０からデータが伝送されないことを示すデータ非正常ログと、異機種機器の受信状態が円滑であって、移動端末１３０からデータが伝送されることを示すデータ正常ログとを移動端末１３０のＲＡＭ（random access memory）（図示せず）に格納することができる。すなわち、データ遅延方法は、移動端末１３０においてＰＩＮＧプロトコルを用いて異機種機器の受信状態を確認した後、移動端末１３０からデータを異機種機器に伝送する方法である。
【００４１】
図２は、本発明の実施例におけるコンテンツエージェントの構成を概略的に示すブロック図である。図２に示すように、コンテンツエージェント１３２は、格納部２１０を備える。格納部２１０は、コンテンツサーバ１２０（すなわち、第１コンテンツベース１２１）と同期化された、複数のコンテンツ及び複数のコンテンツそれぞれに対応するコンテンツ識別情報を含むコンテンツ情報を格納する。一実施例において、格納部２１０は、コンテンツ情報を暗号化して格納することができる。また、格納部２０１は、コンテンツサーバ１２０（すなわち、第２コンテンツデータベース１２２）と同期化された、複数のコンテンツと複数のコンテンツそれぞれに対応するコンテンツ識別情報及びコンテンツ分析情報とを含むコンテンツ情報を格納する。また、格納部２１０は、コンテンツサーバ１２０（すなわち、指定番号コンテンツデータベース１２３）と同期化された、発信者の識別情報、加入者の識別情報及び少なくとも１つのコンテンツをマッピングさせた指定番号コンテンツ情報を格納する。また、格納部２１０は、コンテンツサーバ１２０（すなわち、検索語コンテンツデータベース１２４）と同期化された、インターネット検索語と少なくとも１つのコンテンツとをマッピングさせた検索語コンテンツ情報を格納する。また、格納部２１０は、加入者情報、好みのコンテンツ情報及びコンテンツログ情報を格納する。
【００４２】
コンテンツエージェント１３２は、コンテンツ同期化部２２０をさらに備える。コンテンツ同期化部２２０は、格納部２１０に格納されたコンテンツ情報とコンテンツサーバ１２０の第１コンテンツデータベース１２１に格納されたコンテンツ情報との間の同期化を行う。一実施例において、コンテンツ同期化部２２０は、コンテンツサーバ１２０からコンテンツ情報をダウンロードし、ダウンロードされたコンテンツ情報を格納部２１０に格納してコンテンツ情報の同期化を行う。また、コンテンツ同期化部２２０は、格納部２１０に格納されたコンテンツ情報とコンテンツサーバ１２０の第２コンテンツデータベース１２２に格納されたコンテンツ情報との間の同期化を行なう。一実施例において、コンテンツ同期化部２２０は、コンテンツサーバ１２０からコンテンツ情報をダウンロードし、ダウンロードされたコンテンツ情報を格納部２１０に格納してコンテンツ情報の同期化を行なう。また、コンテンツ同期化部２２０は、格納部２１０に格納された指定番号コンテンツ情報とコンテンツサーバ１２０の指定番号コンテンツデータベース１２３に格納された指定番号コンテンツ情報との間の同期化を行う。一実施例において、コンテンツ同期化部２２０は、コンテンツサーバ１２０から指定番号コンテンツ情報をダウンロードし、ダウンロードされた指定番号コンテンツ情報を格納部２１０に格納して指定番号コンテンツ情報の同期化を行う。さらに、コンテンツ同期化部２２０は、格納部２１０に格納された検索語コンテンツ情報とコンテンツサーバ１２０の検索語コンテンツデータベース１２４に格納された検索語コンテンツ情報との間の同期化を行う。一実施例において、コンテンツ同期化部２２０は、コンテンツサーバ１２０から検索語コンテンツ情報をダウンロードし、ダウンロードされた検索語コンテンツ情報を格納部２１０に格納して検索語コンテンツ情報の同期化を行う。
【００４３】
コンテンツエージェント１３２は、コンテンツ出力部２３０をさらに備える。コンテンツ出力部２３０は、格納部２１０からコンテンツを抽出し、抽出されたコンテンツを移動端末１３０の出力手段に出力させる。
【００４４】
一実施例において、コンテンツ出力部２３０は、移動端末１３０の出力手段に表示中の通話受信待機画面において発信者の電話番号が隠れないように、通話受信待機画面内の一定の領域、例えば、発信者の電話番号の表示画面の下端または上端にコンテンツを出力させることができる。
【００４５】
一実施例において、コンテンツ出力部２３０は、移動端末１３０内の他のエージェント（例えば、通話受信待機画面または通話終了画面）の作動中にも作動が可能であり、通話連結までの待機中（受信待機時）及び通話終了後の少なくともいずれかにおいてまたはメッセージの受信時に出力手段の画面内にコンテンツを出力させるコンテンツプレーヤーを通じて移動端末１３０の出力手段にコンテンツを出力させることができる。
【００４６】
コンテンツエージェント１３２は、制御部２４０をさらに備える。制御部２４０は、移動端末１３０の呼着信、通話終了、メッセージの受信などの監視を行う。また、制御部２４０は、通話連結までの待機中（受信通話待機時）及び通話終了後の少なくともいずれかにおいてまたはメッセージの受信時にコンテンツの出力を制御する。また、制御部２４０は、コンテンツ情報の同期化を制御する。さらに、制御部２４０は、コンテンツエージェント１３２の各構成要素の動作を制御する。
【００４７】
また図１に示すように、コンテンツ提供システム１００は、ネットワーク１４０を備えることができる。ネットワーク１４０は、アプリケーションサーバ１１０、コンテンツサーバ１２０及び移動端末１３０間に互いに接続が行なわれるようにする。
【００４８】
一実施例において、ネットワーク１４０は、回線交換網（図示せず）、パケット交換網（図示せず）及び無線接続網（図示せず）のうち少なくとも１つを含むことができる。回線交換網は、交換機（mobile swiching center；ＭＳＣ）、ホーム位置登録機、インテリジェントネットワーク、メッセージセンター（ＳＭＳＣ、ＭＭＳＣ）などを含むネットワークであって、音声呼の発信と着信、ショートメッセージやマルチメディアメッセージの送受信、そして映像呼の発信と着信サービスを提供するように動作する。パケット交換網は、パケット交換支援ノード（serving GPRS support node；ＳＧＳＮ）及びパケット交換ゲートウェイ（gateway GPRS support node；ＧＧＳＮ）などを含むネットワークであって、ＩＰ基盤のデータサービスを提供するように動作する。無線接続網は、移動端末１３０と回線交換網及びパケット交換網の間のインターフェースを提供するネットワークであって、基地局（NodeＢ）と無線網制御器（radio network controller；ＲＮＣ）、そして無線ＬＡＮアクセスポイントを含む。
【００４９】
上述した実施例では、ネットワーク１４０が回線交換網、パケット交換網及び無線接続網のうち少なくとも１つを含むものとして説明したが、必ずしもこれに限定されるものではない。
【００５０】
図３は、本発明の実施例によって、移動端末１３０にアプリケーションを設置する手順を示すフローチャートである。図３では、移動端末１３０にアプリケーション（すなわち、コンテンツエージェント１３２）が設置されていないことと仮定する。
【００５１】
図３に示すように、移動端末１３０は、ユーザからアプリケーションサーバ１１０の接続を要請する入力情報（以下、第１入力情報という）を受信する（Ｓ３０２）。すなわち、ユーザは、移動端末１３０の入力手段を通じてアプリケーションサーバ１１０の接続を要請する第１入力情報を入力することができる。移動端末１３０は、第１入力情報に基づいてネットワーク１４０を通じてアプリケーションサーバ１１０に接続する（Ｓ３０４）。
【００５２】
移動端末１３０は、ユーザからアプリケーション（すなわち、コンテンツエージェント１３２）を選択し、選択されたアプリケーションのダウンロードを要請する入力情報（以下、第２入力情報という）を受信する（Ｓ３０６）。すなわち、ユーザは、移動端末１３０の入力手段を通じてアプリケーションを選択し、選択されたアプリケーションのダウンロードを要請する第２入力情報を入力することができる。移動端末１３０は、第２入力情報に基づいてアプリケーションのダウンロードをアプリケーションサーバ１１０に要請する（Ｓ３０８）。
【００５３】
アプリケーションサーバ１１０は、移動端末１３０からアプリケーションのダウンロードが要請されれば、アプリケーションを移動端末１３０に伝送する（Ｓ３１０）。移動端末１３０は、アプリケーションサーバ１１０からアプリケーションをダウンロードし、ダウンロードされたアプリケーションを設置する（Ｓ３１２）。従って、移動端末１３０には図２に示すようなコンテンツエージェント１３２が設置され得る。
【００５４】
図４は、本発明の実施例によって、会員加入を行う手順を示すフローチャートである。図４に示すように、移動端末１３０は、アプリケーションの実行を要請する入力情報（以下、第３入力情報という）を受信する（Ｓ４０２）。すなわち、ユーザは、移動端末１３０の入力手段を通じてアプリケーションの実行を要請する第３入力情報を入力する。移動端末１３０は、第３入力情報に基づいてアプリケーションを実行させる（Ｓ４０４）。
【００５５】
実行されたアプリケーション、すなわち、コンテンツエージェント１３２は、ユーザから会員加入を要請する入力情報（以下、第４入力情報という）が受信されるかどうかを判断する（Ｓ４０６）。すなわち、コンテンツエージェント１３２は、ユーザが移動端末１３０の入力手段を通じて会員加入を要請する第４入力情報を入力するかどうかを判断する。第４入力情報が受信されれば（Ｓ４０６：はい）、コンテンツエージェント１３２は、会員加入のための加入者情報を入力することができる会員加入画面を移動端末１３０の出力手段に出力させる（Ｓ４０８）。
【００５６】
コンテンツエージェント１３２は、ユーザから加入者情報を受信する（Ｓ４１０）。すなわち、ユーザは、移動端末１３０の入力手段を通じて加入者情報を入力する。一実施例において、加入者情報は、加入者の識別情報、例えば、ユーザの電話番号及びメールアドレスを含む。一実施例において、加入者情報は、ユーザの好みのコンテンツを指定する好みのコンテンツ情報をさらに含むことができる。コンテンツエージェント１３２は、受信された加入者情報を含む会員加入要請をネットワーク１４０を通じてコンテンツサーバ１２０に伝送する（Ｓ４１２）。選択的に、コンテンツエージェント１３２は、加入者情報をコンテンツエージェント１３２の格納部２１０に格納することができる。
【００５７】
コンテンツサーバ１２０は、移動端末１３０から会員加入要請が受信されれば、受信された会員加入要請に基づいて加入者データベース１２５を照会して（Ｓ４１４）、新規会員であるか、すなわち、受信された会員加入要請に該当する加入者情報が加入者データベース１２５に格納されていないかを判断する（Ｓ４１６）。新規会員であれば（Ｓ４１６：はい）、コンテンツサーバ１２０は、受信された会員加入要請の加入者情報を加入者データベース１２５にデータベース化して格納し（Ｓ４１８）、会員加入が完了したことを知らせる会員加入完了情報をネットワーク１４０を通じて移動端末１３０に伝送する（Ｓ４２０）。
【００５８】
コンテンツエージェント１３２は、コンテンツサーバ１２０から会員加入完了情報が受信されると、移動端末１３０の出力手段に会員加入完了情報を出力（表示）させる（Ｓ４２２）。
【００５９】
図５は、本発明の実施例によって、コンテンツ情報を同期化する手順を示すフローチャートである。図５に示すように、コンテンツエージェント１３２は、移動端末１３０のネットワークの接続状態を監視して（Ｓ５０２）、移動端末１３０がＷｉ−Ｆｉ網に接続されているかまたはデータ網（３ＧまたはＬＴＥ網）に接続されているかを判断する（Ｓ５０４）。
【００６０】
移動端末１３０がＷｉ−Ｆｉ網に接続されていれば（Ｓ５０４：はい）、コンテンツエージェント１３２は、移動端末１３０をネットワーク１４０、すなわち、Ｗｉ−Ｆｉ網を通じてコンテンツサーバ１２０に接続させ（Ｓ５０６）、コンテンツサーバ１２０の第１コンテンツデータベース１２１に格納されたコンテンツ情報と移動端末１３０の格納部２１０に格納されたコンテンツ情報とを同期化させ（Ｓ５０８）、同期化されたコンテンツ情報を格納部２１０に格納する（Ｓ５１０）。一実施例において、コンテンツエージェント１３２は、コンテンツサーバ１２０の第１コンテンツデータベース１２１に格納されたコンテンツ情報をダウンロードし、ダウンロードされたコンテンツ情報を格納部２１０に格納してコンテンツ情報の同期化を行う。
【００６１】
一方、移動端末１３０がデータ網に接続されていれば（Ｓ５０４：いいえ）、コンテンツエージェント１３２は、ネットワーク１４０、すなわち、データ網を通じてコンテンツ情報の同期化を行うかどうかを確認する同期化確認画面を移動端末１３０の出力手段に出力させる（Ｓ５１２）。コンテンツエージェント１３２は、ユーザからコンテンツ情報の同期化をデータ網を通じて行うことを要請する入力情報（以下、第５入力情報という）が受信されるかを判断する（Ｓ５１４）。すなわち、コンテンツエージェント１３２は、ユーザが移動端末１３０の入力手段を通じて、コンテンツ情報の同期化をデータ網を通じて行うことを要請する第５入力情報を入力するかを判断する。
【００６２】
第５入力情報が受信されれば（Ｓ５１４：はい）、コンテンツエージェント１３２は、移動端末１３０をネットワーク１４０、すなわち、データ網を通じてコンテンツサーバ１２０に接続させ（Ｓ５０６）、コンテンツサーバ１２０の第１コンテンツデータベース１２１に格納されたコンテンツ情報と移動端末１３０の格納部２１０に格納されたコンテンツ情報とを同期化させ（Ｓ５０８）、同期化されたコンテンツ情報を移動端末１３０の格納部２１０に格納する（Ｓ５１０）。
【００６３】
一方、第５入力情報が受信されなければ（Ｓ５１４：いいえ）、コンテンツエージェント１３２は、予め定められた時間の間、コンテンツ情報の同期化を待機し（Ｓ５１６）、予め定められた時間が経過すれば、移動端末１３０をネットワーク１４０、すなわち、データ網を通じてコンテンツサーバ１２０に接続させ（Ｓ５０６）、コンテンツサーバ１２０の第１コンテンツデータベース１２１に格納されたコンテンツ情報と移動端末１３０の格納部２１０に格納されたコンテンツ情報とを同期化させ（Ｓ５０８）、同期化されたコンテンツ情報を移動端末１３０の格納部２１０に格納する（Ｓ５１０）。
【００６４】
上述した実施例では、移動端末１３０、すなわち、コンテンツエージェント１３２がコンテンツ情報の同期化をコンテンツサーバ１２０に要請してコンテンツ情報の同期化を行うことを説明したが、必ずしもこれに限定されるものではない。例えば、他の実施例では、コンテンツサーバ１２０が予め定められた時間ごとにコンテンツ情報の同期化を移動端末１３０に要請してコンテンツ情報の同期化を行うことができる。
【００６５】
また、上述した実施例では、コンテンツエージェント１３２が移動端末１３０のネットワーク接続状態を監視してコンテンツ情報の同期化を行うことを説明したが、必ずしもこれに限定されるものではない。例えば、他の実施例では、コンテンツエージェント１３２がユーザからコンテンツ情報の同期化を要請する入力情報が受信されるかどうかを判断し、コンテンツ情報の同期化を要請する入力情報が受信されれば、コンテンツ情報の同期化をコンテンツサーバ１２０に要請してコンテンツ情報の同期化を行うことができる。
【００６６】
また、上述した実施例では、コンテンツサーバ１２０の第１コンテンツデータベース１２１に格納されたコンテンツ情報とコンテンツエージェント１３２の格納部２１０に格納されたコンテンツ情報とを同期化することを説明したが、コンテンツサーバ１２０の第２コンテンツデータベース１２２に格納されたコンテンツ情報とコンテンツエージェント１３２の格納部２１０に格納されたコンテンツ情報、コンテンツサーバ１２０の指定番号コンテンツデータベース１２３に格納された指定番号コンテンツ情報とコンテンツエージェント１３２の格納部２１０に格納された指定番号コンテンツ情報、及びコンテンツサーバ１２０の検索語コンテンツデータベース１２４に格納された検索語コンテンツ情報とコンテンツエージェント１３２の格納部２１０に格納された検索語コンテンツ情報も上述した実施例と同様に同期化させることができる。
【００６７】
図６は、本発明の一実施例によって、受信待機中に（すなわち、通話連結までの待機中に）コンテンツを出力する手順を示すフローチャートである。図６に示すように、コンテンツエージェント１３２は、リアルタイムで移動端末１３０に着信される呼を監視する（Ｓ６０２）。
【００６８】
監視途中で移動端末１３０に呼が着信されれば（Ｓ６０４：はい）、コンテンツエージェント１３２は、ユーザから受信拒絶を要請する入力情報（以下、第６入力情報という）が受信されるかどうかを判断する（Ｓ６０６）。すなわち、コンテンツエージェント１３２は、ユーザが移動端末１３０の入力手段を通じて受信拒絶を要請する第６入力情報を入力するかどうかを判断する。第６入力情報が受信されれば（Ｓ６０６：はい）、コンテンツエージェント１３２は、コンテンツの出力を行なわず、移動端末１３０は、着呼に対する通話拒絶を行う。
【００６９】
一方、第６入力情報が入力されなければ（Ｓ６０６：いいえ）、コンテンツエージェント１３２は、格納部２１０を照会して、格納部２１０に格納されたコンテンツ情報、すなわち、複数のコンテンツから少なくとも１つのコンテンツを予め定められた条件により抽出する（Ｓ６０８）。
【００７０】
一例として、コンテンツエージェント１３２は、移動端末１３０の呼着信時間を検出し、上記検出された呼着信時間に対応する呼着信情報及び呼着信情報に対応する少なくとも１つのコンテンツを格納部２１０から抽出する。
【００７１】
他の例として、コンテンツエージェント１３２は、格納部２１０に格納されたコンテンツログ情報に基づいて、格納部２１０から最近まで出力されていないコンテンツを抽出する。ここで、コンテンツログ情報は、最近までに移動端末１３０の出力手段を通じて出力されたコンテンツの識別情報を含む。コンテンツエージェント１３２は、抽出されたコンテンツから好みのコンテンツ情報に該当する少なくとも１つのコンテンツを優先して抽出する。
【００７２】
さらに他の例として、コンテンツエージェント１３２は、格納部２１０に格納されたコンテンツログ情報に基づいて、格納部２１０から最近まで出力されていないコンテンツを抽出する。コンテンツエージェント１３２は、抽出されたコンテンツから少なくとも１つのコンテンツをランダムに抽出する。
【００７３】
コンテンツエージェント１３２は、抽出されたコンテンツを移動端末１３０の出力手段に出力させる（Ｓ６１０）。一例として、コンテンツエージェント１３２は、抽出されたコンテンツを出力させるコンテンツプレーヤーを含むコンテンツ出力画面を移動端末１３０の出力手段に出力させる。
【００７４】
コンテンツエージェント１３２は、ユーザから受信通話を要請する入力情報（以下、第７入力情報という）が受信されるかどうかを判断する（Ｓ６１２）。すなわち、コンテンツエージェント１３２は、ユーザが移動端末１３０の入力手段を通じて受信通話を要請する第７入力情報を入力するかどうかを判断する。
【００７５】
第７入力情報が入力されなければ（Ｓ６１２：いいえ）、コンテンツエージェント１３２は、引き続きコンテンツの出力を行う（Ｓ６１２）。一方、第７入力情報が受信されれば（Ｓ６１２：はい）、コンテンツエージェント１３２は、コンテンツの出力を終了させる（Ｓ６１４）。その後、移動端末１３０は、着呼に対する受信通話を行う。
【００７６】
上述した実施例では、通話連結までの待機中にコンテンツを出力させることを説明したが、必ずしもこれに限定されるものではなく、他の実施例では、コンテンツエージェント１３２が移動端末１３０にメッセージ（ショートメッセージまたはマルチメディアメッセージ）の受信を監視し、監視途中でメッセージが受信されれば、受信されたメッセージのキーワードを検出し、検出されたメッセージのキーワードに対応するメッセージ内容情報及びメッセージ内容情報に対応する少なくとも１つのコンテンツを抽出して出力させることができる。
【００７７】
図７は、本発明の他の実施例によって、受信待機時に及び通話終了後にコンテンツを出力する手順を示すフローチャートである。図７に示すように、コンテンツエージェント１３２は、リアルタイムで移動端末１３０に着信される呼を監視する（Ｓ７０２）。
【００７８】
監視途中で移動端末１３０に呼が着信されれば（Ｓ７０４：はい）、コンテンツエージェント１３２は、ユーザから受信拒絶を要請する第６入力情報が受信されるかどうかを判断する（Ｓ７０６）。すなわち、コンテンツエージェント１３２は、ユーザが移動端末１３０の入力手段を通じて受信拒絶を要請する第６入力情報を入力するかどうかを判断する。第６入力情報が受信されれば（Ｓ７０６：はい）、コンテンツエージェント１３２は、コンテンツの出力を行なわず、移動端末１３０は着呼に対する通話拒絶を行う。
【００７９】
一方、第６入力情報が入力されなければ（Ｓ７０６：いいえ）、コンテンツエージェント１３２は、格納部２１０を照会して、格納部２１０に格納されているコンテンツ情報、すなわち、複数のコンテンツから少なくとも１つのコンテンツを抽出する（Ｓ７０８）。本実施例における段階Ｓ７０８は、図６における段階Ｓ６０８と同一であるため、本実施例では詳細に説明しない。
【００８０】
コンテンツエージェント１３２は、抽出されたコンテンツ及び「通話後コンテンツ視聴ボタン」を移動端末１３０の出力手段に出力させる（Ｓ７１０）。ここで、「通話後コンテンツ視聴ボタン」は、受信待機中に出力されたコンテンツを通話終了後にも引き続き見る（視聴する）ことを要請するボタンである。
【００８１】
コンテンツエージェント１３２は、ユーザから受信通話を要請する第７入力情報が受信されるかどうかを判断する（Ｓ７１２）。すなわち、コンテンツエージェント１３２は、ユーザが移動端末１３０の入力手段を通じて受信通話を要請する第７入力情報を入力するかどうかを判断する。
【００８２】
第７入力情報が受信されれば（Ｓ７１２：はい）、コンテンツエージェント１３２は、コンテンツの出力を終了させる（Ｓ７１４）。その後、移動端末１３０は、着呼に対する受信通話を行う。一方、第７入力情報が入力されなければ（Ｓ７１２：いいえ）、コンテンツエージェント１３２は、ユーザから通話終了後にコンテンツを見ることを要請する入力情報（以下、第８入力情報という）が受信されるかどうかを判断する（Ｓ７１６）。すなわち、コンテンツエージェント１３２は、ユーザが移動端末１３０の入力手段を通じて「通話後コンテンツ視聴ボタン」を押す第８入力情報を入力するかどうかを判断する。
【００８３】
第８入力情報が入力されなければ（Ｓ７１６：いいえ）、コンテンツエージェント１３２は、コンテンツの出力を終了させる（Ｓ７１４）。その後、移動端末１３０は、着呼に対する受信通話を行う。一方、第８入力情報が受信されれば（Ｓ７１６：はい）、コンテンツエージェント１３２は、コンテンツの出力を一時停止し（Ｓ７１８）、コンテンツを出力しているコンテンツプレーヤーを含むコンテンツ出力画面を移動端末１３０の出力手段から除去する（Ｓ７２０）。その後、移動端末１３０は、着呼に対する受信通話を行う。
【００８４】
コンテンツエージェント１３２は、受信通話中の移動端末１３０の通話終了を監視して（Ｓ７２２）、通話終了が行われたかどうかを判断する（Ｓ７２４）。通話終了が行なわれなければ（Ｓ７２４：いいえ）、コンテンツエージェント１３２は、引き続き移動端末１３０の通話終了を監視する（Ｓ７２２）。一方、通話終了が行われれば（Ｓ７２４：はい）、コンテンツエージェント１３２は、コンテンツプレーヤーを含むコンテンツ出力画面を移動端末１３０の出力手段に再度出力させ（Ｓ７２６）、一時停止させたコンテンツの出力を再開する（Ｓ７２８）。
【００８５】
コンテンツエージェント１３２は、ユーザからコンテンツの再視聴を要請する入力情報（以下、第９入力情報という）が受信されるかどうかを判断する（Ｓ７３０）。すなわち、コンテンツエージェント１３２は、ユーザが移動端末１３０の入力手段を通じてコンテンツの再視聴を要請する第９入力情報を入力するかどうかを判断する。第９入力情報が受信されれば（Ｓ７３０：はい）、コンテンツエージェント１３２は、該当コンテンツをコンテンツプレーヤーを通じて移動端末１３０の出力手段に再度出力する（Ｓ７１６）。
【００８６】
図８は、本発明のさらに他の実施例によって、通話終了後にコンテンツを出力する手順を示すフローチャートである。図８に示すように、本実施例では、ユーザの設定により、受信待機中にコンテンツを出力せず、通話終了後にコンテンツを出力することと仮定する。図８に示すように、コンテンツエージェント１３２は、リアルタイムで移動端末１３０に着信される呼を監視する（Ｓ８０２）。
【００８７】
監視途中で移動端末１３０に呼が着信されれば（Ｓ８０４：はい）、コンテンツエージェント１３２は、ユーザから受信拒絶を要請する第６入力情報が受信されるかどうかを判断する（Ｓ８０６）。すなわち、コンテンツエージェント１３２は、ユーザが移動端末１３０の入力手段を通じて受信拒絶を要請する第６入力情報を入力するかどうかを判断する。第６入力情報が受信されれば（Ｓ８０６：はい）、コンテンツエージェント１３２は、コンテンツの出力を行わず、移動端末１３０は、着呼に対する通話拒絶を行う。
【００８８】
一方、第６入力情報が受信されなければ（Ｓ８０６：いいえ）、コンテンツエージェント１３２は、コンテンツの出力を行なわず、受信通話中の移動端末１３０の通話終了を監視して（Ｓ８０８）、通話終了が行われたかどうかを判断する（Ｓ８１０）。通話終了が行なわれなければ（Ｓ８１０：いいえ）、コンテンツエージェント１３２は、引き続き移動端末１３０の通話終了を監視する（Ｓ８０８）。
【００８９】
一方、通話終了が行われれば（Ｓ８１０：はい）、コンテンツエージェント１３２は、格納部２１０を照会して、格納部２１０に格納されたコンテンツ情報、すなわち、複数のコンテンツから少なくとも１つのコンテンツを抽出する（Ｓ８１２）。本実施例における段階Ｓ８１２は、図６における段階Ｓ６０８と同一であるため、本実施例では詳細に説明しない。
【００９０】
コンテンツエージェント１３２は、抽出されたコンテンツをコンテンツプレーヤーを通じて移動端末１３０の出力手段に出力させる（Ｓ８１４）。コンテンツエージェント１３２は、ユーザからコンテンツ出力の終了を要請する入力情報（以下、第１０入力情報という）が受信されるかどうかを判断する（Ｓ８１４）。すなわち、コンテンツエージェント１３２は、ユーザが移動端末１３０の入力手段を通じてコンテンツ出力の終了を要請する第１０入力情報を入力するかどうかを判断する。第１０入力情報が受信されなければ（Ｓ８１４：いいえ）、コンテンツエージェント１３２は、該当コンテンツを移動端末１３０の出力手段に複数回出力する。一例として、コンテンツの出力回数は、予め定められた回数またはユーザにより設定される回数である。
【００９１】
図９は、本発明のさらに他の実施例によって、通話終了後にコンテンツを出力する場合にイベント処理を行う手順を示すフローチャートである。図９に示すように、コンテンツエージェント１３２は、受信通話中の移動端末１３０の通話終了を監視して（Ｓ９０２）、通話終了が行われたかどうかを判断する（Ｓ９０４）。
【００９２】
通話終了が行なわれなければ（Ｓ９０４：いいえ）、コンテンツエージェント１３２は、引き続き移動端末１３０の通話終了を監視する（Ｓ９０２）。一方、通話終了が行われれば（Ｓ９０４：はい）、コンテンツエージェント１３２は、コンテンツ及び「イベント実行ボタン」を移動端末１３０の出力手段に出力する（Ｓ９０６）。ここで、コンテンツは、図７に示すように一時停止されたコンテンツまたは図８に示すように抽出されたコンテンツである。また、イベントは、出力されるコンテンツに対する加入者の参加を意味するものであって、例えば、アンケート調査イベント、コンテンツ詳細照会イベント、提携営業参加イベントなどを含むことができる。
【００９３】
コンテンツエージェント１３２は、ユーザからイベントを要請する入力情報（以下、第１１入力情報という）が受信されるかどうかを判断する（Ｓ９０８）。すなわち、コンテンツエージェント１３２は、ユーザが移動端末１３０の入力手段を通じて「イベント実行ボタン」を押す第１１入力情報を入力したかどうかを判断する。
【００９４】
第１１入力情報が受信されなければ（Ｓ９０８：いいえ）、コンテンツエージェント１３２は、コンテンツの出力を行う（Ｓ９１０）。一方、第１１入力情報が受信されれば（Ｓ９０８：はい）、コンテンツエージェント１３２は、コンテンツの出力を終了させ（Ｓ９１２）、イベント画面を移動端末１３０の出力手段に出力させる（Ｓ９１４）。一例として、コンテンツエージェント１３２は、アンケート調査画面、コンテンツ詳細照会画面、提携営業参加画面などのようなイベント画面を移動端末１３０の出力手段に出力させる。
【００９５】
上述した実施例では、コンテンツと共に、「イベント実行ボタン」を移動端末１３０の出力手段に出力させることを説明したが、必ずしもこれに限定されるものではない。例えば、他の実施例では、コンテンツ出力画面のタッチを通じてイベント画面を移動端末１３０の出力手段に出力させることができる。
【００９６】
図１０は、本発明のさらに他の実施例によって、ショートメッセージを用いてコンテンツを出力する手順を示すフローチャートである。図１０に示すように、コンテンツサーバ１２０は、加入者データベース１２５に格納された加入者情報に基づいて、ショートメッセージを移動端末１３０に伝送する（Ｓ１００２）。本実施例におけるショートメッセージは、発信者のテキスト情報、コンテンツの識別情報及びコンテンツの出力回数情報を含むことができる。
【００９７】
コンテンツエージェント１３２は、ショートメッセージの受信を監視して（Ｓ１００２）、ショートメッセージが受信されなければ（Ｓ１００６：いいえ）、引き続きショートメッセージの受信を監視する。一方、ショートメッセージが受信されれば（Ｓ１００６：はい）、コンテンツエージェント１３２は、受信されたショートメッセージを分析して（Ｓ１００８）、ショートメッセージにコンテンツの識別情報が含まれているかどうかを判断する（Ｓ１０１０）。
【００９８】
ショートメッセージにコンテンツの識別情報が含まれていれば（Ｓ１０１０：はい）、コンテンツエージェント１３２は、格納部２１０を照会して、ショートメッセージに含まれているコンテンツの識別情報に該当する少なくとも１つのコンテンツを格納部２１０から抽出し（Ｓ１０１２）、抽出されたコンテンツを移動端末１３０の出力手段に出力させる（Ｓ１０１４）。
【００９９】
コンテンツエージェント１３２は、ユーザからイベントを要請する第１１入力情報が受信されるかどうかを判断する（Ｓ１０１６）。すなわち、コンテンツエージェント１３２は、ユーザが移動端末１３０の入力手段を通じて「イベント実行ボタン」を押す第１１入力情報を入力したかどうかを判断する。
【０１００】
第１１入力情報が受信されれば（Ｓ１０１６：はい）、コンテンツエージェント１３２は、コンテンツの出力を終了させ（Ｓ９１０）、イベント処理を行う（Ｓ１０１８）。本実施例におけるイベント処理は、図９における段階Ｓ９１２に対応するため、本実施例では詳細に説明しない。
【０１０１】
一方、第１１入力情報が入力されなければ（Ｓ１０１６：いいえ）、コンテンツエージェント１３２は、ショートメッセージのコンテンツの出力回数情報に基づいてコンテンツを出力回数だけ出力したかどうかを判断する（Ｓ１０2０）。コンテンツを出力回数だけ出力しなければ（Ｓ１０２０：いいえ）、コンテンツエージェント１３２は、引き続きコンテンツを移動端末１３０の出力手段に出力させる。一方、コンテンツを出力回数だけ出力すれば（Ｓ１０２０：はい）、コンテンツエージェント１３２は、コンテンツの出力完了を表示する出力完了画面を移動端末１３０の出力手段に出力させる（Ｓ１０２２）。本実施例において、出力完了画面は、コンテンツに対する関連情報ＵＲＬ（uniform resource locator）を含むことができる。
【０１０２】
本実施例によれば、ショートメッセージを用いてコンテンツを提供することができるので、コンテンツを加入者の状態によって差別化して提供することができ、マルチメディアメッセージ（ＭＭＳ）を用いてコンテンツを提供するよりも費用を節減することができる。
【０１０３】
また、本実施例によれば、ショートメッセージの受信と同時に静止画像または動画のコンテンツを出力させることにより、ショートメッセージの内容に対する理解度及び顧客（ユーザ）の効率的な判断の役割を可能にし、ショートメッセージの確認後、データ接続を行う場合、ユーザのネットワーク上のデータ使用費用を節減することができる。
【０１０４】
図１１は、本発明のさらに他の実施例によって、発信者の識別情報に基づいてコンテンツを出力する手順を示すフローチャートである。図１１に示すように、コンテンツエージェント１３２は、リアルタイムで移動端末１３０に着信される呼及び移動端末１３０に受信されるメッセージ（ショートメッセージまたはマルチメディアメッセージ）を監視する（Ｓ１１０２）。
【０１０５】
監視途中で移動端末１３０に呼が着信されるか、または、メッセージが受信されれば（Ｓ１１０４：はい）、コンテンツエージェント１３２は、着呼またはショートメッセージに対応する発信者の識別情報を検出する（Ｓ１１０６）。コンテンツエージェント１３２は、格納部２１０を照会して、検出された発信者の識別情報が格納部２１０の指定番号コンテンツ情報に存在するかどうかを判断する（Ｓ１１０８）。
【０１０６】
検出された発信者の識別情報が存在しなければ（Ｓ１１０８：いいえ）、コンテンツエージェント１３２は、図６〜図８に示すコンテンツの出力処理を行う（Ｓ１１１０）。一方、検出された発信者の識別情報が存在すれば（Ｓ１１０８：はい）、コンテンツエージェント１３２は、格納部２１０から発信者の識別情報に対応するコンテンツを抽出し（Ｓ１１１２）、抽出されたコンテンツを移動端末１３０の出力手段に出力させる（Ｓ１１１４）。このとき、コンテンツエージェント１３２は、コンテンツと共に、「イベント実行ボタン」を移動端末１３０の出力手段に出力させることができる。
【０１０７】
コンテンツエージェント１３２は、ユーザからイベントを要請する第１１入力情報が受信されるかどうかを判断する（Ｓ１１１６）。すなわち、コンテンツエージェント１３２は、ユーザが移動端末１３０の入力手段を通じて「イベント実行ボタン」を押す第１１入力情報を入力したかどうかを判断する。
【０１０８】
第１１入力情報が受信されれば（Ｓ１１１６：はい）、コンテンツエージェント１３２は、コンテンツの出力を終了させ（Ｓ１１１８）、イベント画面を移動端末１３０の出力手段に出力させる（Ｓ１１２０）。
【０１０９】
図１２は、本発明のさらに他の実施例によって、インターネット検索語に対応するコンテンツを出力する手順を示すフローチャートである。図１２に示すように、コンテンツエージェント１３２は、リアルタイムで移動端末１３０に着信する呼を監視する（Ｓ１２０２）。
【０１１０】
監視途中で移動端末１３０に呼が着信すれば（Ｓ１２０４：はい）、コンテンツエージェント１３２は、ユーザから受信拒絶を要請する第６入力情報が受信されるかどうかを判断する（Ｓ１２０６）。すなわち、コンテンツエージェント１３２は、ユーザが移動端末１３０の入力手段を通じて受信拒絶を要請する第６入力情報を入力するかどうかを判断する。第６入力情報が受信されれば（Ｓ１２０６：はい）、コンテンツエージェント１３２は、コンテンツの出力を行なわず、移動端末１３０は、着呼に対する通話拒絶を行う。
【０１１１】
一方、第６入力情報が受信されなければ（Ｓ１２０６：いいえ）、コンテンツエージェント１３２は、移動端末１３０がインターネットポータルサイトに接続されているかどうかを判断する（Ｓ１２０８）。
【０１１２】
移動端末１３０がインターネットポータルサイトに接続されている場合（Ｓ１２０８：はい）、コンテンツエージェント１３２は、インターネットポータルサイトからインターネット検索語を抽出する（Ｓ１２１０）。一例として、コンテンツエージェント１３２は、インターネットポータルサイトの検索窓からユーザにより入力されたインターネット検索語を抽出する。
【０１１３】
コンテンツエージェント１３２は格納部２１０を照会して、抽出されたインターネット検索に対応する少なくとも１つのコンテンツを格納部２１０に格納された検索語コンテンツ情報から抽出する（Ｓ１２１２）。
【０１１４】
コンテンツエージェント１３２は、抽出されたコンテンツを移動端末１３０の出力手段に出力させる（Ｓ１２１４）。コンテンツエージェント１３２は、ユーザから受信通話を要請する第７入力情報が受信されるかどうかを判断する（Ｓ１２１６）。すなわち、コンテンツエージェント１３２は、ユーザが移動端末１３０の入力手段を通じて受信通話を要請する第７入力情報を入力するかどうかを判断する。
【０１１５】
第７入力情報が受信されなければ（Ｓ１２１６：いいえ）、コンテンツエージェント１３２は、引き続きコンテンツの出力を行う（Ｓ１２１４）。一方、第７入力情報が受信されれば（Ｓ１２１６：はい）、コンテンツエージェント１３２は、コンテンツの出力を終了させる（Ｓ１２１８）。その後、移動端末１３０は着信呼に対する受信通話を行う。
【０１１６】
上述した実施例では、通話連結までの待機中にコンテンツを出力させることを説明したが、必ずしもこれに限定されるものではなく、図６〜図９に示すように、通話連結までの待機中及び通話終了後のいずれかにおいてコンテンツを出力させることができる。
【０１１７】
図１３は、本発明の実施例によって、コンテンツ視聴による褒賞処理を行う手順を示すフローチャートである。図１３に示すように、コンテンツエージェント１３２は、コンテンツの出力方式が受信待機時にコンテンツを出力する方式であるかどうかを判断する（Ｓ１３０２）。
【０１１８】
コンテンツの出力方式が受信待機時にコンテンツを出力する方式であれば（Ｓ１３０２：はい）、コンテンツエージェント１３２は、移動端末１３０の出力手段に出力されているコンテンツの出力時間をカウントする（Ｓ１３０４）。
【０１１９】
コンテンツエージェント１３２は、ユーザから受信通話を要請する第７入力情報が受信されるかどうかを判断する（Ｓ１３０６）。すなわち、コンテンツエージェント１３２は、ユーザが移動端末１３０の入力手段を通じて受信通話を要請する第７入力情報を入力するかどうかを判断する。
【０１２０】
第７入力情報が入力されなければ（Ｓ１３０６：いいえ）、コンテンツエージェント１３２は、引き続き移動端末１３０の出力手段に出力されているコンテンツの出力時間をカウントする。一方、第７入力情報が受信されれば（Ｓ１３０６：はい）、コンテンツエージェント１３２は、ユーザから通話終了後にコンテンツを見る（視聴する）ことを要請する第８入力情報が受信されるかどうかを判断する（Ｓ１３０８）。すなわち、コンテンツエージェント１３２は、ユーザが移動端末１３０の入力手段を通じて「通話後コンテンツ視聴ボタン」を押す第８入力情報を入力するかどうかを判断する。
【０１２１】
第８入力情報が入力されなければ（Ｓ１３０８：いいえ）、コンテンツエージェント１３２は、コンテンツの出力時間、コンテンツの識別情報及び加入者の識別情報を含むコンテンツ出力時間情報を形成し（Ｓ１３１０）、形成されたコンテンツ出力時間情報を移動端末１３０の通信手段を通じてコンテンツサーバ１２０に伝送する（Ｓ１３１２）。
【０１２２】
一方、コンテンツの出力方式が通話終了後にコンテンツを出力する方式（Ｓ１２０２：いいえ）、または第８入力情報が入力（Ｓ１３０８：はい）されれば、コンテンツエージェント１３２は、コンテンツの識別情報及び加入者の識別情報を含むコンテンツ出力情報を形成し（Ｓ１３１４）、形成されたコンテンツ出力情報を移動端末１３０の通信手段を通じてコンテンツサーバ１２０に伝送する（Ｓ１３１６）。
【０１２３】
コンテンツサーバ１２０は、移動端末１３０からコンテンツ出力時間情報またはコンテンツ出力情報が受信されると、予め定められた褒賞基準情報に基づいて加入者の褒賞金額を算出して、算出された褒賞金額を含む加入者褒賞情報を形成し（Ｓ１３１８）、形成された加入者褒賞情報を加入者データベース１２５に格納する（Ｓ１３２０）。褒賞金額の算出は、公知となった様々な方法が用いられ得るので、本実施例では詳細に説明しない。
【０１２４】
図１４は、本発明の実施例によって、褒賞金額を支払う手順を示すフローチャートである。図１４に示すように、コンテンツエージェント１３２は、ユーザからコンテンツ視聴による褒賞金額の支払いを要請する入力情報（以下、第１２入力情報という）が受信されるかどうかを判断する（Ｓ１４０２）。
【０１２５】
第１２入力情報が受信されれば（Ｓ１４０２：はい）、コンテンツエージェント１３２は、加入者の褒賞金額が予め定められた支払い可能条件を満たすかどうかを判断する（Ｓ１４０４）。一実施例において、コンテンツエージェント１３２は、加入者褒賞情報をコンテンツサーバ１２０に要請し、コンテンツサーバ１２０から提供される加入者褒賞情報の褒賞金額と予め定められた支払い可能条件とを比較して加入者の褒賞金額が予め定められた支払い可能条件を満たすかどうかを判断する。
【０１２６】
加入者の褒賞金額が予め定められた支払い可能条件を満たせば（Ｓ１４０４：はい）、コンテンツエージェント１３２は、褒賞金額の支払い方法を選択する支払い方法選択画面を移動端末１３０の出力手段に出力させる（Ｓ１４０６）。一実施例において、褒賞金額の支払い方法は、電話料金への振替方法、利用可能な電子マネー（ポイント、マイレージ等）への振替方法、（本人または他人への）指定されたアイテムによる支払い方法、現金支払い方法、商品割引クーポン、商品券などを含むことができる。
【０１２７】
コンテンツエージェント１３２は、ユーザから褒賞金額の支払い方法を選択する入力情報（以下、第１３入力情報という）が受信されるかどうかを判断する（Ｓ１４０８）。すなわち、コンテンツエージェント１３２は、ユーザが移動端末１３０の入力手段を通じて褒賞金額の支払い方法を選択する第１３入力情報を入力するかどうかを判断する。
【０１２８】
第１３入力情報が受信されれば（Ｓ１４０８：はい）、コンテンツエージェント１３２は、褒賞金額の支払いを要請する支払い要請情報を形成する（Ｓ１４１０）。一実施例において、支払い要請情報は、加入者の識別情報及び第１３入力情報を含む。コンテンツエージェント１３２は、支払い要請情報を移動端末１３０の通信手段を通じてコンテンツサーバ１２０に伝送する（Ｓ１４１２）。
【０１２９】
コンテンツサーバ１２０は、移動端末１３０から支払い要請情報が受信されれば、受信された支払い要請情報に基づいて、加入者に対する褒賞金額の支払い処理を行う（Ｓ１４１４）。一実施例において、コンテンツサーバ１２０は、予め定められた期日（例えば、支払い指定期日）に加入者に対する褒賞金額の支払い処理を行う。例えば、褒賞金額の支払い処理は、交通カード（電子マネー）へのチャージ、ゲームマネーへのチャージ、移動端末１３０の保険料（移動端末１３０の液晶補償などのための保険料）の支払い、通信費割引などを含むことができる。しかし、褒賞金額の支払い処理は、必ずしもこれに限定されないことに留意されたい。
【０１３０】
図１５は、本発明の実施例によって、決済手順を示すフローチャートである。図１５に示すように、コンテンツエージェント１３２は、コンテンツと共に、「決済ボタン」を移動端末１３０の出力手段に出力させる（Ｓ１５０２）。このとき、コンテンツは通話終了後にコンテンツを出力する方法またはショートメッセージを受信した場合にコンテンツを出力する方法で出力され得る。
【０１３１】
コンテンツエージェント１３２は、ユーザから決済を要請する入力情報（以下、第１４入力情報という）が受信されるかどうかを判断する（Ｓ１５０４）。すなわち、コンテンツエージェント１３２は、ユーザが移動端末１３０の入力手段を通じて「決済ボタン」を押す第１４入力情報を入力したかどうかを判断する。
【０１３２】
第１４入力情報が受信されれば（Ｓ１５０４：はい）、コンテンツエージェント１３２は、ユーザから褒賞金額で決済することを要請する入力情報（以下、第１５入力情報という）が受信されるかどうかを判断する（Ｓ１５０６）。すなわち、コンテンツエージェント１３２は、ユーザが移動端末１３０の入力手段を通じて決済方法として褒賞金額で決済することを要請する第１５入力情報を入力するかどうかを判断する。
【０１３３】
第１５入力情報が受信されれば（Ｓ１５０６：はい）、コンテンツエージェント１３２は、コンテンツの識別情報及び加入者の識別情報を含む決済要請情報を形成し（Ｓ１５０８）、形成された決済要請情報を移動端末１３０の通信手段を通じてコンテンツサーバ１２０に伝送する（Ｓ１５１０）。
【０１３４】
コンテンツサーバ１２０は、移動端末１３０から決済要請情報が受信されれば、受信された決済要請情報と加入者データベース１２５に格納された加入者褒賞情報に基づいて決済処理を行う（Ｓ１５１２）。
【０１３５】
一方、第１５入力情報が受信されなければ（Ｓ１５０６：いいえ）、コンテンツエージェント１３２は、決済手段を選択する決済手段選択画面を移動端末１３０の出力手段に出力させる（Ｓ１５１４）。一実施例において、決済手段は、プリペイドカード（prepaid card）、クレジットカード（credit card）、モバイル（mobile）、口座振替などを含むことができ、決済金額が識別できるバーコード、ＱＲ（quick response）コードを利用して決済することができる。
【０１３６】
ユーザから決済手段を選択する入力情報（以下、決済手段選択情報という）が受信されれば、すなわち、ユーザが移動端末１３０の入力手段を通じて決済手段を選択する決済手段選択情報を入力すれば（Ｓ１４１６）、コンテンツエージェント１３２は、決済手段選択情報に基づいて決済処理を行う（Ｓ１４１８）。
【０１３７】
上述したような本発明の方法は、プログラムで具現されてコンピュータで読み出すことができる形態で記録媒体（ＣＤ−ＲＯＭ、ＲＡＭ、ＲＯＭ、フロッピーディスク、ハードディスク、光磁気ディスク等）に格納されることができる。
【０１３８】
本明細書は多くの特徴を含んでいるが、これらの特徴は本発明の範囲または特許請求の範囲を制限するものと解釈されてはならない。また、本明細書で個別の実施例で説明された特徴は、単一の実施例に結合されて具現され得る。これと反対に、本明細書で単一の実施例で説明された様々な特徴は、個別に様々な実施例で具現されたり、適切な副結合（subcombination）により具現され得る。
【０１３９】
図面において、それぞれの動作は特定の順序で説明されたが、これらの動作が図示のような特定の順序で行われるものと理解されてはならず、または一連の連続した順序、または所望の結果を得るために全ての説明された動作が行われるものと理解されてはならない。ある環境では、マルチタスキング及び並列プロセッシングが有利となり得る。また、上述した実施例における様々なシステム構成要素の区分は、全ての実施例でそのような区分を要求するものではないと理解されなければならない。上述したプログラム構成要素及びシステムは、一般に単一のソフトウェア製品またはマルチプルソフトウェア製品にパッケージとして具現され得る。
【０１４０】
本発明は、望ましい実施例によって説明および例示をしたが、当業者であれば添付した特許請求の範囲の事項および範疇を逸脱することなく、様々な変形および変更が可能である。
【符号の説明】
【０１４１】
１００  コンテンツ提供システム
１１０  アプリケーションサーバ
１２０  コンテンツサーバ
１２１  第１コンテンツデータベース
１２２  第２コンテンツデータベース
１２３  指定番号コンテンツデータベース
１２４  検索語コンテンツデータベース
１２５  加入者データベース
１３０  移動端末
１３２  コンテンツエージェント
２１０  格納部
２２０  コンテンツ同期化部
２３０  コンテンツ出力部
２４０  制御部
【図１】
2017073157.tif 000003
【図２】
2017073157.tif 000004
【図３】
2017073157.tif 000005
【図４】
2017073157.tif 000006
【図５】
2017073157.tif 000007
【図６】
2017073157.tif 000008
【図７】
2017073157.tif 000009
【図８】
2017073157.tif 000010
【図９】
2017073157.tif 000011
【図１０】
2017073157.tif 000012
【図１１】
2017073157.tif 000013
【図１２】
2017073157.tif 000014
【図１３】
2017073157.tif 000015
【図１４】
2017073157.tif 000016
【図１５】
2017073157.tif 000017